(57)【要約】【課題】  ２つのコイル電極のバランスを保持すると共に、コモンモードインピーダンスを高くする。【解決手段】  コモンモードフィルタ１は、第１，第２の磁性体基板２，３の間に積層体４を設けて構成する。また、積層体４は、１次グランド電極８、１次コイル電極１０、コイル間絶縁層１２、２次コイル電極１３、２次グランド電極１５等を積み重ねることによって形成する。このとき、グランド電極８，１５は、コイル電極１０，１３を挟むように厚さ方向に対してコイル電極１０，１３よりも外側に配置する。これにより、コイル間絶縁層１２を中心として、厚さ方向に対して対称な構造とすることができる。【選択図】        図２
2009010729.tif 000002
【特許請求の範囲】
【請求項１】
絶縁層を挟んで厚さ方向に積み重ねて設けられ渦巻状をなす１次コイル電極および２次コイル電極と、
前記１次コイル電極と絶縁した状態で厚さ方向に積み重ねて設けられた１次グランド電極と、
前記２次コイル電極と絶縁した状態で厚さ方向に積み重ねて設けられた２次グランド電極とを備えた分布定数型コモンモードフィルタにおいて、
前記１次グランド電極および２次グランド電極は、これらの間に前記１次コイル電極および２次コイル電極を挟むように、前記１次コイル電極および２次コイル電極よりも厚さ方向の外側に配置する構成としたことを特徴とする分布定数型コモンモードフィルタ。
【請求項２】
前記１次コイル電極の一端側には、前記１次グランド電極と厚さ方向の同じ位置に配置され外部に接続するための第１の引出し電極を接続して設け、
前記２次コイル電極の一端側には、前記２次グランド電極と厚さ方向の同じ位置に配置され外部に接続するための第２の引出し電極を接続して設ける構成としてなる請求項１に記載の分布定数型コモンモードフィルタ。
【請求項３】
前記１次コイル電極と２次コイル電極とは、厚さ方向に対して前記絶縁層を中心として対称な位置に配置し、
前記１次グランド電極と２次グランド電極とは、厚さ方向に対して前記絶縁層を中心として対称な位置に配置してなる請求項１または２に記載の分布定数型コモンモードフィルタ。
【発明の詳細な説明】
【技術分野】
【０００１】
本発明は、ノーマルモードの信号を通過させると共に、コモンモードのノイズを除去する分布定数型コモンモードフィルタに関する。
【背景技術】
【０００２】
一般に、分布定数型コモンモードフィルタとして、１次コイル電極および２次コイル電極が厚さ方向に対向して配置されると共に、各コイル電極に対向してグランド電極が設けられたものが知られている（例えば、特許文献１参照）。このような従来技術による分布定数型コモンモードフィルタでは、１次コイル電極、２次コイル電極に互いに同じ方向の信号が伝搬するコモンモードに対して、インピーダンス（コモンモードインピーダンス）が高くなる。これに対し、１次コイル電極、２次コイル電極に互いに逆方向の信号が伝搬するノーマルモードに対して、インピーダンス（ノーマルモードインピーダンス）が低くなる。これにより、コモンモードフィルタは、ノーマルモードの信号を通過させるのに対し、コモンモードのノイズを除去する構成となっている。また、各コイル電極に対向してグランド電極が設けられているから、分布定数型コモンモードフィルタは分布定数型の低域通過フィルタとして機能する。これにより、コモンモードノイズの全反射を防止して、低反射でコモンモードノイズを吸収する構成となっている。
【０００３】
【特許文献１】特開２０００−３１２１２１号公報
【発明の開示】
【発明が解決しようとする課題】
【０００４】
ところで、従来技術による分布定数型コモンモードフィルタでは、一方のグランド電極が１次コイル電極に対して厚さ方向の下側に配置されているのに加えて、他方のグランド電極も２次コイル電極に対して厚さ方向の下側に配置されている。この結果、グランド電極によって２つのコイルのバランスが崩れる傾向があるから、ノーマルモードの信号がコモンモードの信号に変換されることあり、ノイズの除去効果が大きく低下するという問題がある。
【０００５】
また、一方のグランド電極は２つのコイル電極の間に配置されるから、このグランド電極によって２つのコイル間の距離が離れるのに加え、各コイル電極によって生じる磁界を阻害する。この結果、２つのコイル電極間の結合が低下する傾向があり、コモンモードインピーダンスが小さくなるという問題もある。
【０００６】
本発明は上述した従来技術の問題に鑑みなされたもので、本発明の目的は、２つのコイル電極のバランスを保持すると共に、コモンモードインピーダンスを高くすることができる分布定数型コモンモードフィルタを提供することにある。
【課題を解決するための手段】
【０００７】
上述した課題を解決するために、請求項１の発明は、絶縁層を挟んで厚さ方向に積み重ねて設けられ渦巻状をなす１次コイル電極および２次コイル電極と、前記１次コイル電極と絶縁した状態で厚さ方向に積み重ねて設けられた１次グランド電極と、前記２次コイル電極と絶縁した状態で厚さ方向に積み重ねて設けられた２次グランド電極とを備えた分布定数型コモンモードフィルタにおいて、前記１次グランド電極および２次グランド電極は、これらの間に前記１次コイル電極および２次コイル電極を挟むように、前記１次コイル電極および２次コイル電極よりも厚さ方向の外側に配置する構成としたことを特徴としている。
【０００８】
請求項２の発明では、前記１次コイル電極の一端側には、前記１次グランド電極と厚さ方向の同じ位置に配置され外部に接続するための第１の引出し電極を接続して設け、前記２次コイル電極の一端側には、前記２次グランド電極と厚さ方向の同じ位置に配置され外部に接続するための第２の引出し電極を接続して設ける構成としている。
【０００９】
請求項３の発明では、前記１次コイル電極と２次コイル電極とは、厚さ方向に対して前記絶縁層を中心として対称な位置に配置し、前記１次グランド電極と２次グランド電極とは、厚さ方向に対して前記絶縁層を中心として対称な位置に配置している。
【発明の効果】
【００１０】
請求項１の発明によれば、１次グランド電極および２次グランド電極は、これらの間に１次コイル電極および２次コイル電極を挟むように、１次コイル電極および２次コイル電極よりも厚さ方向の外側に配置する構成としたから、１次グランド電極と絶縁層との間に１次コイル電極を配置し、２次グランド電極と絶縁層との間に２次コイル電極を配置することができる。これにより、各コイル電極を厚さ方向に対して対称な位置に配置することができるから、２つのコイルのバランスを保持することができ、ノーマルモードとコモンモードとの間で信号の変換を防ぐことができる。
【００１１】
また、１次グランド電極および２次グランド電極は１次コイル電極および２次コイル電極よりも厚さ方向の外側に配置する構成としたから、グランド電極は２つのコイル電極間に配置されることがなくなる。この結果、厚さ方向に対する２つのコイル電極間の距離を近付けることができるから、２つのコイル電極間の結合を高めてコモンモードインピーダンスを大きくすることができ、ノイズの除去効果を向上することができる。
【００１２】
請求項２の発明によれば、第１の引出し電極は１次グランド電極と厚さ方向の同じ位置に配置すると共に、第２の引出し電極は２次グランド電極と厚さ方向の同じ位置に配置した。これにより、各引出し電極をグランド電極と厚さ方向の異なる位置に配置した場合に比べて、フィルタ全体の厚さ寸法を小さくすることができ、フィルタ全体を小型化、低背化することができる。
【００１３】
請求項３の発明によれば、１次コイル電極および２次コイル電極を絶縁層を中心として厚さ方向に対称な位置に配置すると共に、１次グランド電極および２次グランド電極も絶縁層を中心として厚さ方向に対称な位置に配置する構成としている。これにより、２つのコイルのバランスを高めることができるから、ノーマルモードとコモンモードとの間で信号の変換を防いで、ノイズの除去効果を向上することができる。
【発明を実施するための最良の形態】
【００１４】
以下、本発明の実施の形態による分布定数型コモンモードフィルタについて添付図面を参照しつつ詳細に説明する。
【００１５】
まず、図１ないし図８は第１の実施の形態によるコモンモードフィルタ１を示している。そして、コモンモードフィルタ１は、第１，第２の磁性体基板２，３と該磁性体基板２，３の間に挟まれた積層体４とによって構成されている。ここで、磁性体基板２，３は、例えばフェライト等の磁性体材料を用いて形成されている。
【００１６】
積層体４は、後述する絶縁層５，７，９，１２，１４，１６，１９、コイル電極１０，１３、グランド電極８，１５等を厚み方向に積み重ねることによって形成されている。
【００１７】
第１の基板側絶縁層５は、磁性体基板２の表面に位置して、スピン塗布法、スクリーン印刷等の方法を用いて形成されている。また、基板側絶縁層５は、例えばポリイミド樹脂、エポキシ樹脂、アクリル樹脂、環状オレフィン樹脂、ベンゾシクロブテン樹脂等の種々の樹脂材料、またはＳｉＯ2等のガラス、ガラスセラミックス、誘電体材料等の非磁性体の絶縁材料が用いられる。
【００１８】
引出し電極６は、第１の基板側絶縁層５の表面に形成され、基板側絶縁層５の内側から外縁側に向けて延びている。このとき、引出し電極６の一端側は、後述する１次コイル電極１０の内周側の端部に電気的に接続されている。一方、引出し電極６の他端側は、第１の基板側絶縁層５の外縁側に位置して電極部６Ａとなっている。また、電極部６Ａは、後述する１次コイル電極１０を挟んで電極部１０Ａとは図２中の前，後方向（Ｙ方向）の反対側に配置されている。
【００１９】
そして、図２および図３に示すように、引出し電極６の表面には、例えば基板側絶縁層５と同じ材料を用いて引出し電極６用の絶縁層７が形成される。この絶縁層７には、例えばフォトリソグラフィ技術を用いてビアホール７Ａが形成されている。このとき、ビアホール７Ａは、絶縁層７を貫通した状態で形成され、例えば１次コイル電極１０の内周側の端部と対応した位置に配置されている。
【００２０】
なお、フォトリソグラフィ技術を用いる場合には、絶縁層７の材料として感光性機能を付加した材料が用いられる。本実施の形態では、絶縁層７は、例えば感光性のポリイミド樹脂材料が用いられる。
【００２１】
１次グランド電極８は、絶縁層７の表面に設けられ、後述の１次コイル電極１０と対向した位置に配置されている。このとき、１次グランド電極８の材料には、導電性に優れた材料として、例えばＡｇ，Ｐｄ，Ｃｕ，Ａｌ等の金属、またはこれらの合金等が採用される。１次グランド電極８等の電極材料と絶縁層７等の絶縁材料との組み合わせは、加工性・密着性等を考慮して選択するのが望ましい。
【００２２】
そして、１次グランド電極８は、絶縁層７の表面に導電性材料膜を形成した後に、レジストの塗布、露光、現像、エッチング等の一連のフォトリソグラフィ技術を用いて渦巻形状に形成される。なお、導電性材料膜は、スパッタリング、真空蒸着等の薄膜形成法、またはスクリーン印刷等の厚膜形成法といった成膜技術を用いて形成される。
【００２３】
また、１次グランド電極８は、図２および図６に示すように、１次コイル電極１０による磁界を阻害しないように、１次コイル電極１０とほぼ同一形状の渦巻状に形成されている。そして、渦巻状の１次グランド電極８のうち外周側の端部は、絶縁層７の外縁側に位置して電極部８Ａとなっている。このとき、電極部８Ａは、図２中の左，右方向（Ｘ方向）のうち後述する１次コイル電極１０の電極部１０Ａと２次コイル電極１３の電極部１３Ａとの中間位置に配置されている。そして、１次グランド電極８は、電極部８Ａを通じて外部のグランドに接続されるものである。
【００２４】
また、図２および図３に示すように、１次グランド電極８の表面には、例えば絶縁層５，７と同じ材料を用いて１次グランド電極８用の絶縁層９が形成される。この絶縁層９にも、絶縁層７と同様に１次コイル電極１０の内周側の端部と対応した位置にビアホール９Ａが形成されている。
【００２５】
１次コイル電極１０は、絶縁層９の表面に設けられ、引出し電極６等と共に１次コイル１１を構成している。ここで、１次コイル電極１０は、導電性の金属材料等を用いて形成されると共に、例えば１次グランド電極８とほぼ同様な渦巻形状に形成されている。また、１次コイル電極１０は、１次グランド電極８と絶縁した状態で厚さ方向に積み重ねて設けられている。これにより、１次コイル電極１０と１次グランド電極８との間には、その全長に亘って容量Ｃが分布している。そして、１次コイル電極１０のうち外周側の端部は、図２および図４に示すように、絶縁層９の外縁側に位置して電極部１０Ａとなっている。一方、１次コイル電極１０のうち内周側の端部は、引出し電極６に電気的に接続されている。
【００２６】
コイル間絶縁層１２は、１次コイル電極１０の表面に位置して、例えば絶縁層５，７，９と同じ材料を用いて成膜されている。そして、コイル間絶縁層１２は、１次コイル電極１０と２次コイル電極１３との間を絶縁している。
【００２７】
コイル間絶縁層１２の表面には、１次コイル１１と同様な成膜工程等を繰返すことによって、１次コイル電極１０、絶縁層９、１次グランド電極８、絶縁層７、引出し電極６とほぼ同様な、２次コイル電極１３、絶縁層１４、２次グランド電極１５、絶縁層１６、引出し電極１７がそれぞれ形成されている。このとき、図４ないし図７に示すように、２次コイル電極１３および２次グランド電極１５は、１次コイル電極１０および１次グランド電極８と同じ形状の渦巻形状をなすと共に、１次コイル電極１０等を同じ方向に巻回した形状に形成されている。また、絶縁層１４，１６には、２次コイル電極１３と引出し電極１７とを接続するためのスルーホール１４Ａ，１６Ａが設けられている。
【００２８】
但し、２次コイル電極１３と引出し電極１７の電極部１３Ａ，１７Ａは、図２および図５に示すように、１次コイル電極１０と引出し電極６の電極部１０Ａ，６Ａと異なる位置として、例えば電極部１０Ａ，６Ａから図２中の左，右方向（Ｘ方向）に離間した位置に配置されている。
【００２９】
また、図２および図３に示すように、１次コイル電極１０、絶縁層９、１次グランド電極８、絶縁層７、引出し電極６は、コイル間絶縁層１２から厚さ方向の下側に向けて順次積み重ねられている。これに対し、２次コイル電極１３、絶縁層１４、２次グランド電極１５、絶縁層１６、引出し電極１７は、コイル間絶縁層１２から厚さ方向の上側に向けて順次積み重ねられている。
【００３０】
これにより、２次コイル電極１３は、コイル間絶縁層１２を中心として１次コイル電極１０と厚さ方向に対称な位置に配置されている。このため、２次コイル電極１３は、コイル間絶縁層１２の表面に設けられ、コイル間絶縁層１２を挟んで１次コイル電極１０と対面している。
【００３１】
同様に、２次グランド電極１５も、コイル間絶縁層１２を中心として１次グランド電極８と厚さ方向に対称な位置に配置されている。このため、２次グランド電極１５は、絶縁層１４を挟んで２次コイル電極１３の表面側に位置し、厚さ方向に積み重ねて設けられると共に、２次コイル電極１３と絶縁した状態で対向している。これにより、１次グランド電極８および２次グランド電極１５は、これらの間に１次コイル電極１０および２次コイル電極１３を挟むように、１次コイル電極１０および２次コイル電極１３よりも厚さ方向の外側に配置されている。
【００３２】
さらに、引出し電極１７も、コイル間絶縁層１２を中心として引出し電極６と厚さ方向に対称な位置に配置されている。このため、引出し電極１７は、絶縁層１６を挟んで２次グランド電極１５の表面側に位置し、厚さ方向に積み重ねて設けられている。
【００３３】
そして、２次コイル電極１３および引出し電極１７によって、２次コイル１８が形成されている。このため、２次コイル１８は、コイル間絶縁層１２を中心として１次コイル１１と厚さ方向に対して対称な形状に形成されている。また、１次コイル１１と２次コイル１８とは、厚さ方向に積層された状態で磁気的に密接に結合するものである。
【００３４】
また、第２の基板側絶縁層１９は、２次コイル１８と第２の磁性体基板３との間に位置して、例えば第１の基板側絶縁層５と同じ材料を用いて形成されている。このとき、第２の基板側絶縁層１９は、例えば熱硬化性のポリイミド樹脂が用いられ、第２の磁性体基板３を２次コイル１８の表面に接着するための接着剤を兼ねている。即ち、コモンモードフィルタ１の製造時には、まず第１の磁性体基板２の表面に、第１の基板側絶縁層５、１次グランド電極８、１次コイル１１、コイル間絶縁層１２、２次コイル１８、２次グランド電極１５等を成膜工程を繰返して積み重ねる。その後、第２の磁性体基板３の裏面側に接着剤としての第２の基板側絶縁層１９を塗布した後に、２次コイル１８（引出し電極１７）の表面に第２の磁性体基板３の裏面側を貼り合わせる。このとき、第２の磁性体基板３の接合は、真空中または不活性ガス中にて加熱、加圧した状態で行い、冷却後に圧力を解除するものである。
【００３５】
これにより、第２の基板側絶縁層１９は、２次コイル１８と第２の磁性体基板３との間に配置される。この結果、第１，第２の磁性体基板２，３の間には、第１，第２の基板側絶縁層５，１９、１次グランド電極８、１次コイル１１、コイル間絶縁層１２、２次グランド電極１５、２次コイル１８からなる積層体４が形成される。
【００３６】
図１に示すように、コモンモードフィルタ１の後側端面には外部電極２０，２１が設けられ、前側端面には外部電極２２，２３が設けられている。このとき、外部電極２０，２１，２２，２３はそれぞれ電極部６Ａ，１７Ａ，１０Ａ，１３Ａに電気的に接続されている。また、コモンモードフィルタ１の前側端面には、外部電極２２，２３の中間に位置してグランド用外部電極２４が設けられている。このとき、グランド用外部電極２４は、各グランド電極８，１５の電極部８Ａ，１５Ａに電気的に接続されている。そして、外部電極２０〜２４は、例えばＡｇ，Ｃｕ，ＮｉＣｒまたはＮｉＣｕ等の材料を含む導電性ペーストを塗布したり、これらの材料を蒸着、スパッタリング、無電解めっき等の手段にて形成され、コモンモードフィルタ１の端面に堅固に密着している。さらに、必要であれば、例えば湿式電解めっきによりＮｉ，Ｓｎ，Ｓｎ−Ｐｂ等の金属膜を形成し、外部電極２０〜２４の膜厚を厚くしてもよい。
【００３７】
本実施の形態によるコモンモードフィルタ１は上述の如き構成を有するもので、１次コイル電極１０、２次コイル電極１３に互いに同じ方向の信号が伝搬するコモンモードに対して、インピーダンスが高くなる。これに対し、１次コイル電極１０、２次コイル電極１３に互いに逆方向の信号が伝搬するノーマルモードに対して、インピーダンスが低くなる。これにより、コモンモードフィルタ１は、図８に示す等価回路を構成し、ノーマルモードの信号を通過させるのに対し、コモンモードのノイズを除去する。また、各コイル電極１０，１３に対向してグランド電極８，１５が設けられているから、コモンモードフィルタ１は分布定数型の低域通過フィルタとして機能する。これにより、コモンモードノイズの全反射を防止して、低反射でコモンモードノイズを吸収する。
【００３８】
本実施の形態によるコモンモードフィルタ１は上述のように動作するもので、次に、厚さ方向に対するコイル電極１０，１３およびグランド電極８，１５の配置関係について、図１ないし図１０を参照しつつ検討する。
【００３９】
まず、図９および図１０に示す比較例によるコモンモードフィルタ３１について検討する。比較例のコモンモードフィルタ３１では、２次コイル電極３２および２次グランド電極３３を、第１の実施の形態による２次コイル電極１３および２次グランド電極１５とは逆の位置に配置している。即ち、２次コイル電極３２は絶縁層１４の表面に配置すると共に、２次グランド電極３３はコイル間絶縁層１２の表面に配置している。
【００４０】
このとき、１次コイル電極１０は、厚さ方向に対して１次グランド電極８よりもコイル間絶縁層１２に近い位置に配置される。これに対し、２次コイル電極３２は、厚さ方向に対して２次グランド電極３３よりもコイル間絶縁層１２から離れた位置に配置される。この結果、２次コイル電極３２は、２次グランド電極３３よりも第２の磁性体基板３側に配置されるから、１次コイル電極１０と第１の磁性体基板２との間の距離寸法に比べて、２次コイル電極３２と第２の磁性体基板３との間の距離寸法が小さくなる。このとき、１次コイル１１のインダクタンス値（Ｌ値）に比べて、２次コイル電極３２からなる２次コイル３４のインダクタンス値が大きくなり、両者のインダクタンス値のバランスが崩れる。これにより、本来通過するはずのノーマルモードの信号（差動信号）からコモンモードノイズが生成され、ノイズ除去効果が低下する。
【００４１】
また、比較例では、１次コイル電極１０と２次コイル電極３２との間に２次グランド電極３３が配置されるから、コイル電極１０，３２間の距離が離れるのに加え、各コイル電極１０，３２による磁界が２次グランド電極３３によって阻害される。この結果、１次コイル１１と２次コイル３４との間の結合が低下して、コモンモードインピーダンスが小さくなる。
【００４２】
これに対し、本実施の形態では、１次グランド電極８および２次グランド電極１５は、１次コイル電極１０および２次コイル電極１３よりも厚さ方向の外側に配置する構成としている。このため、１次グランド電極８とコイル間絶縁層１２との間に１次コイル電極１０を配置し、２次グランド電極１５とコイル間絶縁層１２との間に２次コイル電極１３を配置することができる。これにより、各コイル電極１０，１３を厚さ方向に対して対称な位置に配置することができるから、１次コイル１１と２次コイル１８との間のバランスを保持することができ、ノーマルモードとコモンモードとの間で信号の変換を防ぐことができる。
【００４３】
また、１次グランド電極８および２次グランド電極１５は１次コイル電極１０および２次コイル電極１３よりも厚さ方向の外側に配置する構成としたから、グランド電極８，１５は２つのコイル電極１０，１３間に配置されることがなくなる。この結果、コイル電極１０，１３の磁界に対するグランド電極８，１５の影響を抑制することができるのに加え、厚さ方向に対する２つのコイル電極１０，１３間の距離を近付けることができる。この結果、２つのコイル電極１０，１３間の結合を高めてコモンモードインピーダンスを大きくすることができ、ノイズの除去効果を向上することができる。
【００４４】
次に、図１１および図１２は本発明による第２の実施の形態を示し、本実施の形態の特徴は、コモンモードフィルタの前，後，左，右の端面のうち信号用の外部電極と異なる端面にグランド用外部電極を設ける構成としたことにある。なお、本実施の形態では前記第１の実施の形態と同一の構成要素に同一の符号を付し、その説明を省略するものとする。
【００４５】
第２の実施の形態によるコモンモードフィルタ４１は、第１の実施の形態によるコモンモードフィルタ１とほぼ同様に、第１，第２の磁性体基板２，３と、該磁性体基板２，３の間に挟まれた積層体４とによって構成されている。また、積層体４は、第１の基板側絶縁層５、引出し電極６、絶縁層７、１次グランド電極４２、絶縁層９、１次コイル電極１０、コイル間絶縁層１２、２次コイル電極１３、絶縁層１４、２次グランド電極４３、絶縁層１６、引出し電極１７、第２の基板側絶縁層１９を厚さ方向（Ｚ方向）に積み重ねることによって形成されている。
【００４６】
ここで、グランド電極４２，４３は、第１の実施の形態によるグランド電極８，１５とほぼ同様に、渦巻形状に形成されると共に、グランド電極４２，４３の外周側の端部は、積層体４の外縁側に位置して電極部４２Ａ，４３Ａとなっている。但し、グランド電極４２，４３の電極部４２Ａ，４３Ａは、第１の実施の形態によるグランド電極８，１５の電極部８Ａ，１５Ａと異なり、積層体４の左側端面に接した状態で配置されている。即ち、グランド電極４２，４３の電極部４２Ａ，４３Ａは、コモンモードフィルタ１の前，後，左，右の端面のうち各コイル１１，１８の電極部６Ａ，１０Ａ，１３Ａ，１７Ａと異なる端面（例えば左側端面）近傍に配置されている。そして、電極部４２Ａ，４３Ａは、コモンモードフィルタ４１の左側端面に設けられたグランド用外部電極４４に電気的に接続されている。
【００４７】
かくして、本実施の形態でも、第１の実施の形態とほぼ同様な作用効果を得ることができる。特に、本実施の形態では、コモンモードフィルタ４１の前，後，左，右の端面のうち信号用の外部電極２０〜２３と異なる左側端面にグランド用外部電極４４を設ける構成としたから、外部電極２０〜２３とグランド用外部電極４４との距離を離すことができる。このため、コモンモードフィルタ４１を半田付け等によって実装するときに、外部電極２０〜２３とグランド用外部電極４４との間で短絡が生じるのを防止でき、作業性、信頼性を高めることができる。
【００４８】
次に、図１３および図１４は本発明による第３の実施の形態を示し、本実施の形態の特徴は、１次コイルの引出し電極を１次グランド電極と厚さ方向の同じ位置に配置すると共に、２次コイルの引出し電極を２次グランド電極と厚さ方向の同じ位置に配置する構成としたことにある。なお、本実施の形態では前記第１の実施の形態と同一の構成要素に同一の符号を付し、その説明を省略するものとする。
【００４９】
第３の実施の形態によるコモンモードフィルタ５１は、第１の実施の形態によるコモンモードフィルタ１とほぼ同様に、第１，第２の磁性体基板２，３と、該磁性体基板２，３の間に挟まれた積層体５２とによって構成されている。また、積層体５２は、第１の基板側絶縁層５、引出し電極６、１次グランド電極５３、絶縁層９、１次コイル電極１０、コイル間絶縁層１２、２次コイル電極１３、絶縁層１４、２次グランド電極５４、引出し電極１７、第２の基板側絶縁層１９を厚さ方向（Ｚ方向）に積み重ねることによって形成されている。
【００５０】
但し、１次グランド電極５３は、厚さ方向に対して１次コイル１１の引出し電極６と同じ位置に配置されている。また、２次グランド電極５４は、厚さ方向に対して２次コイル１８の引出し電極１７と同じ位置に配置されている。このため、積層体５２は、第１の実施の形態に比べて、グランド電極５３，５４と引出し電極６，１７との間の絶縁層が省かれた構成となっている。
【００５１】
また、引出し電極６，１７は、スルーホール９Ａ，１４Ａを介してコイル電極１０，１３の内周側の端部にそれぞれ接続されている。さらに、引出し電極６，１７は、グランド電極５３，５４の内周側から外周側に向けて径方向に延びている。このため、グランド電極５３，５４は、引出し電極６，１７と接触しないように、略Ｃ字状の線路を複数回に亘って折り返した形状に形成されている。これにより、グランド電極５３，５４は、ほぼ全長に亘って渦巻状のコイル電極１０，１３と対向している。また、グランド電極５３，５４の外周側の端部は、積層体５２の外縁側に位置して電極部５３Ａ，５４Ａとなり、グランド用外部電極２４に電気的に接続されている。
【００５２】
かくして、本実施の形態でも、第１の実施の形態とほぼ同様な作用効果を得ることができる。特に、本実施の形態では、引出し電極６，１７は厚さ方向に対してグランド電極５３，５４と同じ位置に配置したから、絶縁層５，９，１２，１４，１９の数を減少させることができる。このため、コモンモードフィルタ５１の厚さ寸法を小さくすることができ、コモンモードフィルタ５１を薄型化、小型化することができる。
【００５３】
なお、前記第３の実施の形態では、グランド電極５３，５４は、略Ｃ字状の線路を複数回に亘って折り返した形状に形成するものとした。しかし、本発明はこれに限らず、図１５に示す第１の変形例のように、２つのグランド電極６１（２次グランド電極のみ図示）は、例えば複数本の略Ｃ字状の線路６１Ａと、引出し電極６，１７の延長線上に位置して左，右方向に延び、これらの線路６１Ａを接続する接続線路６１Ｂとによって形成する構成としてもよい。
【００５４】
また、図１６に示す第２の変形例のように、２つのグランド電極６２（２次グランド電極のみ図示）は、例えば複数本の略Ｃ字状の線路６２Ａと、引出し電極６，１７に対して斜めに傾斜して延び、これらの線路６２Ａを接続する接続線路６２Ｂとによって形成する構成としてもよい。
【００５５】
さらに、図１７に示す第３の変形例のように、２つのグランド電極６３（２次グランド電極のみ図示）は、例えば複数本の略Ｃ字状の線路６３Ａと、引出し電極６，１７に平行に設けられ、これらの線路６３Ａの端部を接続する２本の接続線路６３Ｂとによって形成する構成としてもよい。
【００５６】
また、前記第３の実施の形態では、第１の実施の形態のように、積層体５２のうち信号用の外部電極（電極部１０Ａ，１３Ａ）と同じ端面側にグランド電極５３，５４の電極部５３Ａ，５４Ａを形成する構成とした。しかし、本発明はこれに限らず、例えば第２の実施の形態のように、積層体のうち信号用の外部電極と異なる端面側にグランド電極の電極部を形成する構成としてもよい。
【００５７】
さらに、前記各実施の形態では、コイル電極１０，１３とグランド電極８，１５との間には、非磁性体の絶縁材料等からなる絶縁層９，１４を設ける構成とした。しかし、本発明はこれに限らず、コイル電極１０，１３とグランド電極８，１５との間には、誘電体、磁性体またはこれらの複合材料からなる絶縁層９，１４を設ける構成としてもよい。この場合、コモンモードフィルタのインダクタンス値およびキャパシタンス値を大きくすることができる。
【図面の簡単な説明】
【００５８】
【図１】本発明の第１の実施の形態によるコモンモードフィルタを示す斜視図である。
【図２】図１中のコモンモードフィルタを分解して示す分解斜視図である。
【図３】第１の実施の形態によるコモンモードフィルタを図１中の矢示III−III方向からみた断面図である。
【図４】第１の実施の形態による１次コイル電極等を図２中の矢示IV−IV方向からみた平面図である。
【図５】第１の実施の形態による２次コイル電極等を図２中の矢示V−V方向からみた平面図である。
【図６】第１の実施の形態による１次グランド電極等を図２中の矢示VI−VI方向からみた平面図である。
【図７】第１の実施の形態による２次グランド電極等を図２中の矢示VII−VII方向からみた平面図である。
【図８】第１の実施の形態によるコモンモードフィルタを示す等価回路図である。
【図９】比較例によるコモンモードフィルタを示す図３と同様な位置の断面図である。
【図１０】比較例によるコモンモードフィルタを示す等価回路図である。
【図１１】第２の実施の形態によるコモンモードフィルタを示す斜視図である。
【図１２】図１１中のコモンモードフィルタを分解して示す分解斜視図である。
【図１３】第３の実施の形態によるコモンモードフィルタを分解して示す分解斜視図である。
【図１４】図１３中の２次グランド電極等を図１３中の矢示XIII−XIII方向からみた平面図である。
【図１５】第１の変形例による２次グランド電極等を示す図１４と同様位置の平面図である。
【図１６】第２の変形例による２次グランド電極等を示す図１４と同様位置の平面図である。
【図１７】第３の変形例による２次グランド電極等を示す図１４と同様位置の平面図である。
【符号の説明】
【００５９】
１，４１，５１  コモンモードフィルタ
２  第１の磁性体基板
３  第２の磁性体基板
４，５２  積層体
６，１７  引出し電極
８，４２，５３  １次グランド電極
１０  １次コイル電極
１２  コイル間絶縁層（絶縁層）
１３  ２次コイル電極
１５，４３，５４  ２次グランド電極
６１，６２，６３  グランド電極
【図１】
2009010729.tif 000003
【図２】
2009010729.tif 000004
【図３】
2009010729.tif 000005
【図４】
2009010729.tif 000006
【図５】
2009010729.tif 000007
【図６】
2009010729.tif 000008
【図７】
2009010729.tif 000009
【図８】
2009010729.tif 000010
【図９】
2009010729.tif 000011
【図１０】
2009010729.tif 000012
【図１１】
2009010729.tif 000013
【図１２】
2009010729.tif 000014
【図１３】
2009010729.tif 000015
【図１４】
2009010729.tif 000016
【図１５】
2009010729.tif 000017
【図１６】
2009010729.tif 000018
【図１７】
2009010729.tif 000019